(57)【要約】【課題】停電時に自動的に照明を点灯させるようにした便器設備及びトイレ設備を提供することを目的とする。また、必要なときに照明を点灯させるようにして用いることができるリモコンユニット及びリモコンを提供することを目的とする。【解決手段】便座ボックス１２へは、トイレルーム壁面のコンセント１９ａに差し込まれた電源プラグ１９及び電源コード１９ｂを介して商用電源（交流１００Ｖ）が給電される。便座ボックス１２内にバッテリ、コンデンサ等の蓄電手段と、停電検知回路と、停電検知回路が停電を検知したときに蓄電手段から照明１２ａに通電する通電回路とが設けられている。従って、停電時には照明１２ａが自動的に点灯する。【選択図】図１
2007046329.tif 000002
【特許請求の範囲】
【請求項１】
蓄電手段と、停電検知手段と、照明手段と、該停電検知手段が停電を検知したときに該蓄電手段から該照明手段へ通電する通電手段とを備えたことを特徴とする便器設備。
【請求項２】
リモコンと、該リモコンによって制御される機器を備えた便器設備とを有するトイレ設備において、
該便器設備に、停電検知手段と、停電検知信号をリモコンへ発信する発信手段とを設け、
該リモコンに、照明手段と、該停電検知信号を受信すると該照明手段に通電する通電手段を設けたことを特徴とするトイレ設備。
【請求項３】
リモコンと、該リモコンによって制御される機器を備えた便器設備とを有するトイレ設備において、
該リモコンは商用電源から給電されるものであり、
該リモコンに、蓄電手段と、停電検知手段と、照明手段と、停電検知時に該蓄電手段から該照明手段に通電する通電手段とを設けたことを特徴とするトイレ設備。
【請求項４】
リモコンと、該リモコンを保持するブラケットとを有するリモコンユニットにおいて、
該リモコンに、照明手段と、該ブラケットからの取り外しを検知して該照明手段に通電する通電手段を設けたことを特徴とするリモコンユニット。
【請求項５】
照明手段と、該照明手段に通電を行うためのスイッチを備えたことを特徴とするトイレ用リモコン。
【発明の詳細な説明】
【技術分野】
【０００１】
本発明は、停電時に照明を点灯させるようにした便器設備、トイレ設備、リモコンユニット及びリモコンに関する。
【背景技術】
【０００２】
トイレルーム内の足許等を照明するために、便器やリモコンに照明を設けることが特開２００１−６５０３２号及び特開平８−２８４２３２号に記載されているが、停電時に照明を点灯させる点についての記載はない。
【特許文献１】特開平８−２８４２３２号
【特許文献２】特開２００１−６５０３２号
【発明の開示】
【発明が解決しようとする課題】
【０００３】
上記特開２００１−６５０３２号及び特開平８−２８４２３２号においては、停電時には、トイレが暗く、不便な状態で使用することになる。また、使用中に停電となった場合も同様に、不便な状態で使用することになる。特に、集合住宅等の窓のないトイレでは、照明がないと、昼間でも暗いことから、昼間に停電になった場合にも、不便な状態で使用することになる。
【０００４】
本発明は、停電時に自動的に照明を点灯させるようにした便器設備及びトイレ設備を提供することを目的とする。また、本発明は、必要なときに照明を点灯させるようにして用いることができるリモコンユニット及びリモコンを提供することを目的とする。
【課題を解決するための手段】
【０００５】
請求項１の便器設備は、蓄電手段と、停電検知手段と、照明手段と、該停電検知手段が停電を検知したときに該蓄電手段から該照明手段へ通電する通電手段とを備えたことを特徴とするものである。
【０００６】
請求項２のトイレ設備は、リモコンと、該リモコンによって制御される機器を備えた便器設備とを有するトイレ設備において、該便器設備に、停電検知手段と、停電検知信号をリモコンへ発信する発信手段とを設け、該リモコンに、照明手段と、該停電検知信号を受信すると該照明手段に通電する通電手段を設けたことを特徴とするものである。
【０００７】
請求項３のトイレ設備は、リモコンと、該リモコンによって制御される機器を備えた便器設備とを有するトイレ設備において、該リモコンは商用電源から給電されるものであり、該リモコンに、蓄電手段と、停電検知手段と、照明手段と、停電検知時に該蓄電手段から該照明手段に通電する通電手段とを設けたことを特徴とするものである。
【０００８】
請求項４のリモコンユニットは、リモコンと、該リモコンを保持するブラケットとを有するリモコンユニットにおいて、該リモコンに、照明手段と、該ブラケットからの取り外しを検知して該照明手段に通電する通電手段を設けたことを特徴とするものである。
【０００９】
請求項５のトイレ用リモコンは、照明手段と、該照明手段に通電を行うためのスイッチを備えたことを特徴とするものである。
【発明の効果】
【００１０】
請求項１の便器設備にあっては、停電時に蓄電手段から照明手段に通電が行われ、便器設備に設けられた照明手段が点灯する。
【００１１】
請求項２のトイレ設備にあっては、停電時に便器設備から停電検知信号が発信される。この信号がリモコンに受信されると、リモコンに設けられた照明手段が点灯する。
【００１２】
請求項３のトイレ設備にあっては、リモコンは商用電源からＡＣアダプタ等を介して給電される。停電時には、リモコンに設けられた蓄電手段から照明手段に通電され、照明手段が点灯する。
【００１３】
このように、請求項１〜３の便器設備及びトイレ設備によると、停電時に自動的に照明手段が点灯するので、停電時でもトイレを重大な不便なしに使用することが可能である。
【００１４】
請求項４のリモコンユニットにあっては、リモコンをブラケットから取り外すと自動的に照明手段が点灯するので、懐中電灯のように用いることができる。
【００１５】
請求項５のリモコンにおいては、スイッチ操作により照明手段を点灯させることができるので、停電時にトイレルームを照明することができる。リモコンがブラケット等から取り外し可能であれば、このリモコンを懐中電灯のように使用することも可能である。
【発明を実施するための最良の形態】
【００１６】
以下、図面を参照して実施の形態について説明する。
【００１７】
洋風便器１０の後部上面にロータンク１１が設置され、このロータンク１１の前面側に便座ボックス１２が設置されている。ロータンク１１及び便座ボックス１２内の温水タンクには止水栓１３から給水管を介して水道水が供給可能とされている。
【００１８】
便座ボックス１２には、足許用の照明１２ａが設けられている。
【００１９】
便座ボックス１２には、洗浄ノズル１５，１６及び温風乾燥ファン（図示略）等が設けられている。また、この便座ボックス１２には、暖房便座１７、便蓋１８が上下方向に回動可能に取り付けられている。
【００２０】
便座ボックス１２へは、トイレルーム壁面のコンセント１９ａに差し込まれた電源プラグ１９及び電源コード１９ｂを介して商用電源（交流１００Ｖ）が給電される。
【００２１】
この洋風便器１０の側方のトイレルーム壁面にリモコン２０が設置されている。このリモコン２０には、肛門洗浄用操作スイッチ（シャワースイッチ）、ビデ洗浄用操作スイッチ、温風を吹き出させるドライスイッチ、肛門洗浄（シャワー洗浄）、ビデ洗浄、温風乾燥等の作動をストップさせるストップスイッチ等が設置されている。このリモコン２０は、ブラケット（図示略）を介してトイレルームの壁面に取り付けられている。このリモコン２０には足許用の照明２０ａが設けられている。
【００２２】
［実施の形態１］
この実施の形態に係る便器設備は、蓄電手段と、停電検知回路と、照明手段と、該停電検知回路が停電を検知したときに該蓄電手段から該照明手段へ通電する通電回路とを備えたものである。即ち、便座ボックス１２内にバッテリ、コンデンサ等の蓄電手段と、停電検知回路と、停電検知回路が停電を検知したときに蓄電手段から照明１２ａに通電する通電回路とが設けられている。
【００２３】
従って、停電時には照明１２ａが自動的に点灯するので、夜間や、窓のないトイレルームの場合であってもトイレを使用することが可能である。また、トイレ使用中の人がトイレルーム外へ退室することも可能である。
【００２４】
［実施の形態２］
この実施の形態に係るトイレ設備は、リモコンと、該リモコンによって制御される機器を備えた便器設備とを有するトイレ設備であって、該便器設備に、停電検知回路と、停電検知信号をリモコンへ発信する発信回路とを設け、該リモコンに、照明手段と、該停電検知信号を受信すると該照明手段に通電する通電回路を設けたものである。即ち、便座ボックス１２内に停電検知回路と、該停電検知回路が停電を検知したときに停電検知信号を発信する発信回路とが設けられている。リモコン２０には、停電検知信号の受信回路と、この受信回路の受信信号に基づいて照明２０ａにリモコン２０の乾電池から通電する通電回路とが設けられている。
【００２５】
従って、停電時には照明２０ａが自動的に点灯するので、夜間や、窓のないトイレルームの場合であってもトイレを使用することが可能である。また、トイレ使用中の人がトイレルーム外へ退室することも可能である。
【００２６】
なお、リモコン２０に乾電池を設ける代りに、リモコン２０をＡＣアダプタ（図示略）を介して商用電源に接続すると共に、リモコン２０にバッテリやコンデンサ等の蓄電手段を設けてもよい。乾電池をバックアップ用の電源として用いてもよい。
【００２７】
［実施の形態３］
この実施の形態に係るトイレ設備は、リモコンと、該リモコンによって制御される機器を備えた便器設備とを有するトイレ設備であって、該リモコンは商用電源から給電されるものであり、該リモコンに、蓄電手段と、停電検知回路と、照明手段と、停電検知時に該蓄電手段から該照明手段に通電する通電回路とを設けたものである。即ち、リモコン２０をＡＣアダプタ（図示略）を介して商用電源に接続する。また、リモコン２０にバッテリ、コンデンサ等の蓄電手段と、停電検知回路と、停電検知回路の停電検知時に蓄電手段から照明２０ａに通電する通電回路と設ける。
【００２８】
この実施の形態にあっても、停電時には照明２０ａが自動的に点灯するので、夜間や、窓のないトイレルームの場合であってもトイレを使用することが可能である。また、トイレ使用中の人がトイレルーム外へ退室することも可能である。
【００２９】
なお、この実施の形態では、ＡＣアダプタをコンセントから抜いたり、ＡＣアダプタのリード線をリモコン２０から外したときにも、リモコン２０内の停電検知回路は停電検知状態となり、通電回路が照明２０ａに通電を行う。従って、ＡＣアダプタをコンセントから抜いたり、ＡＣアダプタのリード線をリモコン２０から外して照明２０ａを点灯させると共に、リモコン２０をブラケットから取り外し、リモコン２０を懐中電灯のように使用することも可能である。
【００３０】
［実施の形態４］
この実施の形態に係るリモコンユニットは、リモコンと、該リモコンを保持するブラケットとを有するリモコンユニットであって、該リモコンに、照明手段と、該ブラケットからの取り外しを検知して該照明手段に通電する通電回路を設けたものである。即ち、リモコン２０に、ブラケットからの取り外し検知手段を設ける。
【００３１】
例えば、ブラケットにマグネットを設けると共に、リモコン２０にリードスイッチを設けておく。あるいは、リモコン２０に、該リモコン２０をブラケットに装着するとブラケットに接触して信号を出力するリミットスイッチを設けておく。
【００３２】
また、リモコン２０に、この取り外し検知手段からの取り外し検知信号に基づいて照明２０ａに通電する通電回路を設けておく。
【００３３】
このリモコン２０にあっては、リモコン２０をブラケットから取り外すと照明２０ａが点灯するので、リモコン２０を懐中電灯のように使用することができる。
【００３４】
この場合、リモコン２０の電源は乾電池であってもよく、ＡＣアダプタと蓄電手段との組み合わせであってもよい。
【００３５】
［実施の形態５］
この実施の形態に係るトイレ用リモコンは、照明手段と、該照明手段に通電を行うためのスイッチを備えたものである。即ち、リモコン２０に、照明２０ａのＯＮ、ＯＦＦ操作用のスイッチ（図示略）を設ける。このスイッチは、リモコン２０の前面や側面に設けてもよく、リモコン２０の背面に設け、リモコン２０をブラケットから取り外したときだけ操作できるようにしてもよい。また、照明２０ａのＯＮ、ＯＦＦ専用のスイッチを設ける代りに、リモコン２０の前面に設けられた各種スイッチのうち特定の複数のものを組み合わせて操作すると照明２０ａが点灯、消灯するよう構成してもよい。なお、図２はリモコン２０とブラケット３０との組み合わせの一例を示す斜視図である。ブラケット３０はビス３１によって壁面に取り付けられている。
【００３６】
上記実施の形態は本発明の一例であり、本発明は図示以外の形態をもとりうる。例えば、便座ボックスの代わりにロータンクカバーが用いられてもよい。照明１２ａ，２０ａは、足許を照らすものではなく、便器回りを照らすものであって、トイレの使用に大きな支障がないものであればよく、位置や数は図示のものに限定されない。
【００３７】
また、蓄電池の容量は少なくともトイレ使用中に停電した場合に用を足し、トイレ室から退出できる程度（約１〜５分）照明手段に通電できるものであれば、停電時でも重大な不便なしに使用でき、トイレから退出することができる。
【図面の簡単な説明】
【００３８】
【図１】トイレルーム内の斜視図である。
【図２】リモコン及びブラケットの斜視図である。
【符号の説明】
【００３９】
１２  便座ボックス
１２ａ  照明
２０  リモコン
２０ａ  照明
３０  ブラケット
３１  ビス
【図１】
2007046329.tif 000003
【図２】
2007046329.tif 000004